(57)【要約】【課題】マッサージ動作の限定が要求される子供や高齢者等の特定の使用者に適したマッサージが行われ、かつ他の使用者に対しても十分なマッサージを行うことができるマッサージ機を提供する。【解決手段】マッサージ機が有する機能を制御する機能制御部１３は、マッサージ機１の全機能のうち使用者ｈが利用可能な機能が少なくとも一部異なる複数の制御モードを有しており、当該複数の制御モードは、マッサージ機のすべての機能又はほとんど全ての機能を使用者が利用できるフル機能制御モード２１と、フル機能モード２１において使用者が利用可能な機能のうちの少なくとも一部の機能が制限された機能限定制御モード２０からなる。【選択図】図６
2007319551.tif 000002
【特許請求の範囲】
【請求項１】
マッサージ機本体と、使用者へマッサージ動作を与えるマッサージ部と、マッサージ機が有する機能を制御する機能制御部と、を備えたマッサージ機において、
前記機能制御部は、マッサージ機の全機能のうち使用者が利用可能な機能が少なくとも一部異なる複数の制御モードを有していることを特徴とするマッサージ機。
【請求項２】
複数の前記制御モードには、マッサージ機のすべての機能又はほとんど全ての機能を使用者が利用できるフル機能制御モードと、前記フル機能モードにおいて使用者が利用可能な機能のうちの少なくとも一部の機能が制限された機能限定制御モードと、を含むことを特徴とする請求項１記載のマッサージ機。
【請求項３】
前記機能限定制御モードでは、前記マッサージ部におけるマッサージ動作の内容及び／又はマッサージ時間が、前記フル機能制御モードよりも制限されていることを特徴とする請求項２記載のマッサージ機。
【請求項４】
前記機能限定制御モードでは、前記マッサージ部により使用者の身体に与える刺激が前記フル機能モードよりも軽くなるようにマッサージ機の機能が制限されていることを特徴とする請求項２又は３記載のマッサージ機。
【請求項５】
前記機能制御部は、マッサージ部が所定の手順で動作するマッサージコースを複数種類実行可能に構成され、
前記機能限定制御モードでは、前記フル機能制御モードのときに使用者が選択できるマッサージコースのうち少なくとも一部が選択不可となることを特徴とする請求項２〜４のいずれかに記載のマッサージ機。
【請求項６】
前記マッサージ機本体は、傾斜角度を変更可能な背もたれ部及び／又は傾斜角度を変更可能なフットレストを備え、
前記機能制御部は、前記背もたれ部及び／又はフットレストの傾斜角度を制御可能であり、
更に、前記機能制御部は、前記機能限定制御モードでは、使用者の操作による背もたれ部及び／又はフットレストの傾斜角度の変更を制限することを特徴とする請求項２〜５のいずれかに記載のマッサージ機。
【請求項７】
前記機能制御部は、前記機能限定制御モードでは、自動制御による背もたれ部及び／又はフットレストの傾斜角度の変更が行われるとともに、使用者の操作による背もたれ部及び／又はフットレストの傾斜角度の変更が不可であることを特徴とする請求項６記載のマッサージ機。
【請求項８】
マッサージ機の操作をするための複数の操作ボタンを有する操作部を更に備え、
前記機能限定制御モードにおいてマッサージ部がマッサージ動作を開始すると、複数の前記操作ボタンの全部又は一部が、マッサージ動作の停止用ボタンに切り替わることを特徴とする請求項２〜７のいずれかに記載のマッサージ機。
【請求項９】
前記機能限定制御モードでは、フル機能制御モードのときに使用者が利用可能な機能以外の他の機能を使用者が利用可能である請求項２〜８のいずれかに記載のマッサージ機。
【請求項１０】
複数の前記制御モードのうち、少なくとも１つの制御モードは、実行開始のために使用者のロック解除操作を必要とすることを特徴とする請求項１〜９のいずれかに記載のマッサージ機。
【発明の詳細な説明】
【技術分野】
【０００１】
本発明は、座部と背もたれ部とを備える椅子型マッサージ機に関するものである。
【背景技術】
【０００２】
座部と背凭れ部とを備える椅子型のマッサージ機は、当該座部や背凭れ部に設けられて使用者にマッサージ動作を与える施療子を有するマッサージ手段と、このマッサージ手段の動作を制御する制御手段とを備えた構造とされている。そして、当該制御手段には、内蔵する複数のモータの駆動の組み合わせにより、施療子に複数の動作（例えば揉み動作、叩き動作、施療部位の変更等）を選択的に行わせる複数のマッサージコースが設けられているのが一般的である。
【発明の開示】
【発明が解決しようとする課題】
【０００３】
上記のような一般的な椅子型マッサージ機では、起動電源をオンした際、マッサージコース、マッサージ時間等の機能が全て選択可能となっているため、例えば使用者が子供の場合、それらの使用者に適しないマッサージ動作が作動してしまうことがある。その一方で、それらの使用者のために機能を限定すれば、他の使用者に十分なマッサージを与えることができないという問題がある。
本発明は上記の従来の問題点に鑑み、マッサージ動作の限定が要求される子供等の特定の使用者に適したマッサージが行われ、かつ他の使用者に対しても十分なマッサージを与えることができるマッサージ機を提供することを目的としている。
【課題を解決するための手段】
【０００４】
上記目的を達成するために、本発明は次の技術的手段を講じた。
すなわち本発明は、マッサージ機本体と、使用者へマッサージ動作を与えるマッサージ部と、マッサージ機が有する機能を制御する機能制御部と、を備えたマッサージ機において、前記機能制御部は、マッサージ機の全機能のうち使用者が利用可能な機能が少なくとも一部異なる複数の制御モードを有していることを特徴とする。
上記本発明のマッサージ機によれば、機能制御部はマッサージ機の全機能のうち使用者が利用可能な機能が少なくとも一部異なる複数の制御モードを有しているので、マッサージ動作の限定が要求される子供等の特定の使用者や、大人等の他の使用者は、それぞれに対応した制御モードを選択してマッサージを受けることができる。
【０００５】
また、上記本発明において、複数の前記制御モードには、マッサージ機のすべての機能又はほとんど全ての機能を使用者が利用できるフル機能制御モードと、前記フル機能モードにおいて使用者が利用可能な機能のうちの少なくとも一部の機能が制限された機能限定制御モードと、を含むことを特徴とする。
この場合、マッサージ動作の限定が要求される子供等の特定の使用者には、機能限定制御モードが選択されるようにし、他の使用者には、フル機能制御モードが選択されるようにすればよい。
【０００６】
上記本発明において、前記機能限定制御モードでは、前記マッサージ部におけるマッサージ動作の内容及び／又はマッサージ時間が、前記フル機能制御モードよりも制限されていることを特徴とする。
この場合、機能限定制御モードを選択した特定の使用者は、マッサージ動作の内容及び／又はマッサージ時間が制限されたマッサージを受けることができる。
【０００７】
上記本発明において、前記機能限定制御モードでは、前記マッサージ部により使用者の身体に与える刺激が前記フル機能モードよりも軽くなるようにマッサージ機の機能が制限されていることを特徴とする。
この場合、機能限定制御モードを選択した特定の使用者は、身体に与える刺激がフル機能モードよりも軽いマッサージを受けることができる。
【０００８】
上記本発明において、前記機能制御部は、マッサージ部が所定の手順で動作するマッサージコースを複数種類実行可能に構成され、前記機能限定制御モードでは、前記フル機能制御モードのときに使用者が選択できるマッサージコースのうち少なくとも一部が選択不可となることを特徴とする。
この場合、使用者は、マッサージ部が所定の手順で動作するマッサージコースを複数種類選択することができ、このうち機能限定制御モードを選択した特定の使用者は、特定のマッサージコースのみしか選択できなくなる。
【０００９】
上記本発明において、前記マッサージ機本体は、傾斜角度を変更可能な背もたれ部及び／又は傾斜角度を変更可能なフットレストを備え、前記機能制御部は、前記背もたれ部及び／又はフットレストの傾斜角度を制御可能であり、更に、前記機能制御部は、前記機能限定制御モードでは、使用者の操作による背もたれ部及び／又はフットレストの傾斜角度の変更を制限することを特徴とする。
この場合、使用者は傾斜角度を変更可能な背もたれ部及び／又は傾斜角度を変更可能なフットレストを備える椅子型のマッサージ機でマッサージを受けることができ、機能限定制御モードを選択した特定の使用者には、背もたれ部及び／又はフットレストの傾斜角度の変更を制限することができる。
【００１０】
上記本発明において、前記機能制御部は、前記機能限定制御モードでは、自動制御による背もたれ部及び／又はフットレストの傾斜角度の変更が行われるとともに、使用者の操作による背もたれ部及び／又はフットレストの傾斜角度の変更が不可であることを特徴とする。
この場合、機能限定制御モードを選択した特定の使用者には、背もたれ部及び／又はフットレストの傾斜角度の変更が自動的に行われ、その後、当該傾斜角度の変更ができなくなり、背もたれ部及び／又はフットレストが意図しない角度まで倒れるのを防止することができる。
【００１１】
上記本発明において、マッサージ機の操作をするための複数の操作ボタンを有する操作部を更に備え、前記機能限定制御モードにおいてマッサージ部がマッサージ動作を開始すると、複数の前記操作ボタンの全部又は一部が、マッサージ動作の停止用ボタンに切り替わることを特徴とする。
この場合、前記機能限定制御モードにおいて、例えば子供がマッサージを受けている際、咄嗟にマッサージを止めたいときに、操作ボタンを選ばなくても確実にマッサージ動作を止めることができる。
【００１２】
上記本発明において、前記機能限定制御モードでは、フル機能制御モードのときに使用者が利用可能な機能以外の他の機能を使用者が利用可能である。
この場合、機能限定制御モードを選択した使用者は、フル機能制御モードでは利用できない他の機能を利用することができる。
【００１３】
上記本発明において、複数の前記制御モードのうち、少なくとも１つの制御モードは、実行開始のために使用者のロック解除操作を必要とすることを特徴とする。
この場合、実行開始のためにロック解除操作を必要とする制御モードは、ロックを解除した使用者しか利用できなくなる。
【発明の効果】
【００１４】
以上の通り、本発明によれば、機能制御部はマッサージ機の全機能のうち使用者が利用可能な機能が少なくとも一部異なる複数の制御モードを有しているので、マッサージ動作の限定が要求される子供等の特定の使用者や他の使用者は、それぞれに対応した制御モードを選択することで、当該特定の使用者には適したマッサージが行われ、かつ他の使用者に対しても十分なマッサージを与えることができる。
【発明を実施するための最良の形態】
【００１５】
以下に、本発明の実施の形態について図面を参照しながら説明する。図１は、本発明の一実施形態であるマッサージ機１の側面図である。このマッサージ機１は、マッサージ機本体Ｈと、使用者へマッサージ動作を与えるマッサージ部Ｍと、マッサージ機１が有する機能を制御する機能制御部１３とを備えている。また、マッサージ機本体Ｈは、着座した使用者ｈ（二点鎖線で示す）の背中及び頭部を支持しうる背もたれ部２と、着座した使用者ｈの尻部及び太股部を支持しうる座部３と、座部３の左右両側に配置され使用者ｈの肘及び前腕部を支持しうる肘掛け部４と、座部３の前側に脚を施療することのできるフットレスト５とを備えている。
【００１６】
背もたれ部２の内部には、マッサージ部Ｍとしてのマッサージユニット６が図示しない左右一対のガイドレールに沿って上下方向に昇降自在に設けられており、使用者ｈに施療子によるマッサージが行われる。さらに、背もたれ部２の左右両側、座部３及びフットレスト５には、マッサージ部Ｍとして、図示しないエアユニットと接続されエアの吸排気によって膨張収縮するエアセル７が設けられており、使用者ｈに当該エアセル７によるマッサージが行われる。さらに、背もたれ部２、座部３には、マッサージ部Ｍとしてバイブレータｅが設けられており、使用者ｈに当該バイブレータｅの振動によるマッサージ、指圧等が行われる。
【００１７】
図３は、マッサージユニット６の正面斜視図である。マッサージユニット６の本体フレーム６１に機器ユニット６２が前後移動自在に取り付けられている。機器ユニット６２は、施療具として揉み玉からなる施療子６３と、この施療子６３に揉み、叩き、指圧等のマッサージ動作をさせるために駆動する動作手段６４とを有している。この動作手段６４は、施療子６３を背もたれ部２の前後方向に移動させる押出し機構を有している。押出し機構は、機器ユニット６２を前後移動させる駆動源となるモータ６５と、このモータ６５に減速機構を介して連結されたピニオン６６と、このピニオン６６に噛合し背もたれ部２の前後方向に沿って設けられたラック６７とを有している。モータ６５とピニオン６６は本体フレーム６１に固定されており、ラック６７は機器ユニット６２側に固定されている。この構成により、前記モータ６５を正逆回転させることで、ピニオン６６が正逆回転し、これによりラック６７が前後移動し、このラック６７とともに機器ユニット６２が前後移動する。
【００１８】
フットレスト５は、座部３の前部で当該座部３に対して回動可能、かつ当該座部３に接離可能に設けられており、使用者ｈの脚の長さに合わせて伸縮できるようになっている。また、背もたれ部２は、マッサージ機１の左右両側に設けられた脚部１１により傾動可能に支持されている。さらに、椅子型マッサージ機１は、背もたれ部２の傾倒角度を変化させるためのリクライニング機構ｒを有している。
【００１９】
図１は、リクライニング機構ｒによって変動しうる背もたれ部２の角度範囲のうち、背もたれ部２が最も起立した状態とされた図であり、図２は、背もたれ部２が最も倒れた状態の図である。リクライニング機構ｒの詳細な説明は省略するが、当該機構ｒは、電動モータ１０により伸縮駆動するアクチュエータ１２を備えており、このアクチュエータ１２の伸縮によりリクライニング動作が行われる。すなわち、アクチュエータ１２が伸びるほど背もたれ部２が起立した状態となり、アクチュエータ１２が縮むほど背もたれ部２が倒れた状態となる。このようなリクライニング機構ｒにより、椅子型マッサージ機１では、アクチュエータ１２の伸縮により背もたれ部２と座部３とのなす角度が変化して、所定の角度範囲でリクライニング動作が可能とされている。
【００２０】
また、マッサージ機１は、フットレスト５を脚の長さ方向に移動させる図示しない伸縮機構、及び背もたれ部２の傾動と連動してフットレスト５の座部３に対する傾斜角度を変化させる図示しない角度連動機構を有している。当該伸縮機構により、使用者ｈの脚の長さに応じてフットレスト５が脚の長さ方向に移動できるようになっている。また、角度連動機構により背もたれ部２の傾斜角度を、最も起立した状態から最も倒れた状態まで変化させる場合、最も起立した状態ではフットレスト５の座部３に対する角度は最も大きく、使用者ｈは座った状態となり、最も倒れた状態ではフットレスト５の座部３に対する角度は最も小さく、使用者ｈは寝ころんだ状態となる。また、当該角度連動機構は、背もたれ部２の傾動の初期段階では背もたれ部２の傾斜角度変化に対するフットレスト５の傾斜角度変化が比較的大きくされており、最も倒れた状態に近づくにつれてフットレスト５の傾斜角度変化が少なくなるように設定されており、使用者ｈが、楽な姿勢のままでリクライニングできるようになっている。
【００２１】
マッサージ機１には、マッサージユニット６、エアセル７、バイブレータｅ、及びリクライニング機構ｒ、伸縮機構、角度連動機構を動作せるための、マイクロコンピュータ等からなる機能制御部１３が設けられている。この機能制御部１３は、座部３の下方に設けられており、使用者ｈが操作する図４に示す操作機１５（操作部）と接続されて、使用者ｈが当該操作機１５の操作ボタンを選択することで、各種マッサージ動作が行われる。操作機１５は、肘掛け部４に設けられたホルダ１６によって着脱自在に支持されている。
【００２２】
操作機１５は、使用者ｈが手に持って操作可能な手持ち式であり、ホルダ１６に保持させたまま操作してもよいし、手に持って操作してもよい。操作機１５は、その操作面１５１には、電源のオン・オフ操作を行うための電源ボタンｂ１、停止ボタンｂ２、肩位置調整ボタンｂ１９、数字入力ボタンｂ３、エアー強さ調整ボタンｂ４が設けられている。また、操作面１５１は、開閉部１７によって一部開閉式となっており、当該開閉部１７の表面には、リクライニングボタンｂ７、フットレストボタンｂ８、フットスライドボタンｂ９、マッサージ解除ボタンｂ１０、バイブ解除ボタンｂ１１、ＢＧＭボタンｂ１２、ヒータボタンｂ１３、更に、各種のマッサージコースボタンｂ５、ｂ６が設けられている。また、開閉部１７を開けた状態の操作面１５２には、主にマッサージ動作を手動選択するための、リクライニングボタンｂ１４、マッサージ動作の指示ボタンｂ１５、マッサージ動作の速さ、位置調整ボタンｂ１６、エアセルによるエアマッサージボタン、バイブレーションボタンｂ１７が設けられている。また、操作面１５１には、表示部１８が設けられており、操作に関連した表示又はその他必要な表示を文字や図形等によって電子的に表示可能とされている。なお、使用者は、上記数字入力ボタンｂ３を組み合わせて押すことによりパスワードを入力することができ、これにより当該パスワードが機能制御部１３に登録される。
【００２３】
上記各マッサージ部６，７、ｅが有する機能を制御する制御モードは複数用意されており、当該制御モードによりマッサージ部６，７、ｅを動作させるための動作プログラムが機能制御部１３に設けられたＲＡＭ、ＲＯＭからなる記憶部に記憶されている。そして、使用者ｈは、操作機１５の各操作ボタンを押して、機能制御部１３がマッサージ部６，７，ｅや各種駆動機構を動作させる。さらに、前記機能制御部１３は、マッサージ機１の全機能のうち使用者が利用可能な機能が一部異なる複数の制御モードを有しており、当該複数の制御モードは、マッサージ機１のすべての機能を使用者が利用できるフル機能制御モード２１と、フル機能制御モード２１において使用者が利用可能な機能のうち一部の機能が制限された機能限定制御モード２０とからなっている（図５参照）。また、機能制御部１３は、マッサージ部６，７、ｅが所定の手順で動作するマッサージコースを複数種類実行可能に構成されている。
【００２４】
上記フル機能制御モード２１では、使用者ｈは背もたれ部２のマッサージユニット６や、背もたれ部２、座部３、フットレスト５のエアセル７や、バイブレータｅ、及びリクライニング機構ｒ、伸縮機構、角度連動機構に関してそれらの機能の作動可能な範囲を全て選択でき、また、後述の各種のマッサージコースを全て選択できるようになっている。なお、当該機能とは、例えばマッサージユニット６、エアセル７、及びバイブレータｅではマッサージ動作の内容、マッサージ時間、及びマッサージ強さ、振動強度等のことをいい、リクライニング機構、伸縮機構、及び角度連動機構では、それぞれ背もたれ部２の座部３に対する角度、フットレスト５の長さ、背もたれ部２の傾斜角度変化に対するフットレスト５の傾斜角度変化度合い等をいう。当該フル機能モード２１では、使用者ｈがマッサージユニット６等の各機能を手動選択するほか、同使用者ｈによって選択されるマッサージコースが設けられている。
【００２５】
上記機能限定制御モード２０では、使用者ｈは背もたれ部２のマッサージユニット６や、背もたれ部２、座部３、フットレスト５のエアセル７や、バイブレータｅ、及びリクライニング機構ｒ、伸縮機構、及び角度連動機構に関してそれらの機能の作動可能な範囲のうち一部のみを選択でき、また後述の各種マッサージコースの一部のみを選択できるようになっている。つまり、機能限定制御モード２０では、マッサージ部６，７，ｅにおけるマッサージ内容とマッサージ時間、或いはマッサージ内容だけ、或いはマッサージ時間だけが、フル機能制御モード２１よりも制限されており、使用者の身体に与える刺激がフル機能モード２１よりも軽くなっている。つまり、機能限定モード２０では、ソフトな刺激を与えるマッサージ動作、及び短いマッサージ時間で子供にマッサージが行われる。
【００２６】
また、機能限定制御モード２０では、使用者の操作による背もたれ部２及びフットレスト５の傾斜角度の変更が制限されており、自動制御による背もたれ部２及びフットレストの傾斜角度の変更が行われた際に、使用者の操作による背もたれ部及びフットレストの傾斜角度の変更ができないようになっている。また、機能限定制御モード２０で、使用者の操作による、背もたれ部２の傾斜角度だけの変更或いはフットレスト５の傾斜角度だけの変更を制限してもよい。それに伴って、自動制御による背もたれ部２やフットレストの傾斜角度の変更が行われた際に、使用者の操作による背もたれ部やフットレストの傾斜角度の変更ができないようになる。また、当該機能限定制御モード２０には、使用者ｈによって選択される各種のマッサージコースが設定されている。
【００２７】
上記各制御モード２０，２１への流れを図５で説明すると、マッサージ機１を電源オンにすると初期状態３０となり、更に、使用者ｈが、数字入力ボタンｂ３を押して予め設定されたパスワード入力するとロックが解除され、制御モードがフル機能制御モード２１に移行される。そして、使用者ｈが、ロックを解除しなければ、機能限定制御モード２１が選択された状態となる。従って、使用者ｈが、ロックを解除しなければ機能限定制御モード２１のままなので、例えば子供が不用意に当該フル機能制御モード２１に入ることが防止される。
【００２８】
図６（ａ）、及び（ｂ）は、各制御モード２０，２１のフローチャートである。本実施形態のフル機能制御モード２１には、全身疲労回復コース２１２、高齢者に適したマッサージ動作が行われる高齢者コース２０４、子供に適したマッサージ動作が行われる子供コース（１）２０２、子供コース（２）２０３が設定されている。図７は、各子供コース２０２，２０３の流れを説明するブロック図である。各子供コース２０２、２０３が選択され、マッサージ部６，７，ｅがマッサージ動作を開始すると複数の操作ボタンの全部又は一部がマッサージ動作の停止用ボタンに切り替わり、ボタン機能変更２０４が行われる。
【００２９】
具体的には、子供コース２０２，２０３以外では、マッサージ動作を停止する際には停止ボタンｂ２を押せばよいが、当該子供コース２０２，２０３が選択され、マッサージ動作が開始されると、例えば、操作面１５１の停止ボタンｂ２以外のマッサージコースボタンｂ５，ｂ６、リクライニングボタンｂ７、フットレストボタンｂ８等の全てが停止用ボタンに切り替わる。なお、マッサージ動作が開始されると、例えば、操作面１５１の停止ボタンｂ２以外のマッサージコースボタンｂ５，ｂ６だけ等、一部の操作ボタンが停止用ボタンに切り替わるようにしてもよい。これにより、子供が咄嗟にマッサージを止めたいときに、操作ボタンを選ばなくても確実にマッサージ動作を止めることができる。次に、リクライニング機構ｒによる背もたれ部２の倒れ２０５が行われ、子供用のマッサージ動作２０６が開始される。なお、マッサージ動作が開始されると、使用者ｈは背もたれ部２の操作をできなくなる。マッサージ動作が終了すると、リクライニング機構ｒによる背もたれ部２の戻り２０７が行われる。
【００３０】
従って、使用者ｈは、電源ボタンｂ１を押して電源オンした後、初期状態３０でまずロックを解除し、フル機能制御モード２１へ移行した後、マッサージコースボタンｂ５、ｂ６を押すことによりコース選択２１１を行い、上記各コースが選択される。また、当該フル機能制御モード２１では、手動操作による自由選択２１３も可能となっており、使用者ｈは、フル機能制御モード２１へ移行した後、リクライニングボタンｂ１４、マッサージ動作の指示ボタンｂ１５、マッサージ動作の速さ、位置調整ボタンｂ１６、エアセルによるエアマッサージボタン、バイブレーションボタンｂ１７等を押すことにより好みのマッサージを受けることができ、ＢＧＭボタンｂ１２を押すことにより音楽を聴くことができ、更に、ヒータボタンｂ１３を押すことにより、座部３や背もたれ部２が暖められる。一方、機能限定制御モード２０には、子供コース（１）２０２、子供コース（２）２０３だけが設定されており、その他のマッサージコースが選択不可となっている。従って、子供が子供コース１，２以外でのマッサージを受けることが防止される。
【００３１】
上記本実施形態のマッサージ機１によれば、機能制御部１３は、マッサージ機のすべての機能を使用者が利用できるフル機能制御モード２１と、フル機能モード２１において使用者が利用可能な機能のうち、疲労回復コース２１２や自由選択２１３が選択できず、かつ各子供コース２０２，２０３が設定された機能限定制御モード２０と有しているので、マッサージ動作の限定が要求される子供等の特定の使用者は、機能限定制御モード２０でマッサージを受ければよく、マッサージ動作を限定した方がよいとされる高齢者は、フル機能制御モード２１からマッサージ動作が制限された高齢者コース２０４を選択すればよい。他の使用者は、フル機能制御モード２１でマッサージを受ければよい。これにより、当該特定の使用者や他の使用者は、それぞれに対応した制御モードを選択することで、特定の使用者にはその者に適したマッサージが行われ、かつ他の使用者に対しても十分なマッサージが行われる。
【００３２】
図８は、本発明の第二実施形態を示す各制御モード２０，２１のフローチャートである。本実施形態が、上記第一実施形態の制御モードと異なる点は、フル機能制御モード２１には、疲労回復コース２１２等及び自由選択２１３が設定され、子供コースは設定されていない点である。従って、本実施形態ではフル機能制御モード２１を選択した使用者ｈは、子供コースは選択できず、全身疲労回復コース２１２等や自由選択２１３のみが選択できるようになっている。
【００３３】
図９は、本発明の第三実施形態を示す各制御モード２０，２１のフローチャートである。本実施形態が、上記第一実施形態の制御モードと異なる点は、本実施形態の機能限定制御モード２０では、フル機能制御モード２１のときに使用者が利用可能な機能以外の他の機能を使用者が利用可能とされており、当該制御モード２０に、フル機能制御モード２１では選択することができない子供もみコース２０８が設定されている点である。
なお、上記実施形態はすべて例示であって制限的なものではない。本発明の技術的範囲は特許請求の範囲によって規定され、そこに記載された構成と均等の範囲内のすべての変更も本発明の技術的範囲に含まれる。例えば、複数の制御モードに、フル機能制御モード及び機能限定制御モード以外の制御モードを含めてもよく、上記各実施形態では、マッサージ機を椅子型としたが、他の構成からなるマッサージ機に適用してもよい。また、機能限定制御モード２０が選択された場合は、各マッサージ動作指示ボタンｂ１５が、子供もみコースに変更される制御態様であってもよい。
【図面の簡単な説明】
【００３４】
【図１】本発明の一実施形態であるマッサージ機の側面図である。
【図２】図１のマッサージ機の背もたれ部が最も倒れた状態の図である。
【図３】マッサージユニットの正面斜視図である。
【図４】操作機の正面図である。
【図５】各制御モードへのフローチャートである。
【図６】（ａ）はフル機能制御モードにおける各コースへのフローチャートであり、（ｂ）は機能限定制御モードにおける各コースへのフローチャートである。
【図７】子供コースのフローチャートである。
【図８】（ａ）は第二実施形態でのフル機能制御モードにおける各コースへのフローチャートであり、（ｂ）は第二実施形態での機能限定制御モードにおける各コースへのフローチャートである。
【図９】（ａ）は第三実施形態でのフル機能制御モードにおける各コースへのフローチャートであり、（ｂ）は第三実施形態での機能限定制御モードにおける各コースへのフローチャートである。
【符号の説明】
【００３５】
１    マッサージ機
２    背もたれ部
３    座部
４    肘掛け部
５    フットレスト
６    マッサージユニット
１３  機能制御部
１５  操作機
２０  機能限定制御モード
２１  フル機能制御モード
２０２、２０３  子供コース
２０４  高齢者コース
２１２  全身疲労回復コース
２１３  自由選択
【図１】
2007319551.tif 000003
【図２】
2007319551.tif 000004
【図３】
2007319551.tif 000005
【図４】
2007319551.tif 000006
【図５】
2007319551.tif 000007
【図６】
2007319551.tif 000008
【図７】
2007319551.tif 000009
【図８】
2007319551.tif 000010
【図９】
2007319551.tif 000011